(57)【特許請求の範囲】
【請求項１】
複数の端末装置間で授受されるセルの交換を行うスイッチ装置と、該スイッチ装置と前記複数の端末装置の各々との間に挿入される回線装置と、を備え、各該回線装置にはプロセッサが内蔵されるマルチプロセッサ交換機において、
ユーザセルと制御情報セルとからなり、各前記端末装置から出力されて各前記回線装置に入力されるセルが、前記ユーザセルであるか、または前記制御情報セルであるかを識別して振り分けるセル分離部を各前記回線装置内に有し、
各前記プロセッサは、前記セル分離部により振り分けられた前記制御情報セルを用い、前記スイッチ装置を介して、プロセッサ間の通信を行うことを特徴とするマルチプロセッサ交換機。
【請求項２】
複数の端末装置間で授受されるセルの交換を行うスイッチ装置と、該スイッチ装置と前記複数の端末装置の各々との間に挿入される回線装置と、を備え、各該回線装置にはプロセッサが内蔵されるマルチプロセッサ交換機において、
各前記回線装置内に、各該回線装置に入力されるセルが、ユーザセルであるか、または制御情報セルであるかを識別して振り分けるセル分離部を有し、
各前記プロセッサは、前記セル分離部により振り分けられた前記制御情報セルを用い、前記スイッチ装置を介して、プロセッサ間の通信を行い、
さらに、前記セル分離部は、前記端末装置からのセルを入力とする端末側セル分離部と、前記スイッチ装置からのセルを入力とするスイッチ側セル分離部とからなることを特徴とするマルチプロセッサ交換機。
【請求項３】
複数の端末装置間で授受されるセルの交換を行うスイッチ装置と、該スイッチ装置と前記複数の端末装置の各々との間に挿入される回線装置と、を備え、各該回線装置にはプロセッサが内蔵されるマルチプロセッサ交換機において、
各前記回線装置内に、各該回線装置に入力されるセルが、ユーザセルであるか、または制御情報セルであるかを識別して振り分けるセル分離部を有し、
各前記プロセッサは、前記セル分離部により振り分けられた前記制御情報セルを用い、前記スイッチ装置を介して、プロセッサ間の通信を行い、
さらに、各前記回線装置内に、前記セル分離部により振り分けられた前記ユーザセルと、前記プロセッサから送出される前記制御情報セルとを多重化するセル多重部を有することを特徴とするマルチプロセッサ交換機。
【請求項４】
前記セル多重部は、前記スイッチ装置へのセルを出力するスイッチ側セル多重部と、前記端末装置へのセルを出力する端末側セル多重部とからなる請求項３に記載のマルチプロセッサ交換機。
【請求項５】
各前記セルは、少なくともヘッダエリアおよびペイロードエリアからなり、各前記制御情報セルは、各前記ユーザセルと区別可能な特定の識別コードを前記ヘッダエリア内に有すると共に、前記プロセッサから送出される前記制御情報セルにはさらに、少なくとも送信先の前記プロセッサを指定するタグ情報を格納するためのタグエリアが付加されてなる請求項３に記載のマルチプロセッサ交換機。
【請求項６】
各前記回線装置内に設けられたルーティングテーブルに、前記プロセッサにより前記タグ情報の書き込みを行う請求項５に記載のマルチプロセッサ交換機。
【請求項７】
前記プロセッサ間の通信において、前記制御情報セルの転送先プロセッサよりリプライを求めるために、前記制御情報セルの前記ペイロードエリアに、当該制御情報セルの送信元のプロセッサを表示するための表示コードを格納する請求項５に記載のマルチプロセッサ交換機。
【請求項８】
前記プロセッサから送出される前記制御情報セル内に、前記プロセッサ間の通信をブロードキャスト形態で行うか否かを指定するための第１ブロードキャスト識別子を含む請求項５に記載のマルチプロセッサ交換機。
【請求項９】
前記プロセッサから送出される前記制御情報セル内に、前記プロセッサ間の通信を、ある特定のプロセッサに対するブロードキャスト通信で行うか、または、全てのプロセッサに対するブロードキャスト通信で行うかを指定するための第２ブロードキャスト識別子を含む請求項８に記載のマルチプロセッサ交換機。
【請求項１０】
前記プロセッサから送出される前記制御情報セル内に、前記ブロードキャスト形態で行われる前記プロセッサ間の通信において、当該ブロードキャスト情報の送信元のプロセッサが、その送信先のプロセッサから、当該ブロードキャスト情報に対するリプライを求めるか否かを指定するためのリプライ識別子を含む請求項８に記載のマルチプロセッサ交換機。
【請求項１１】
前記リプライが求められた前記送信先のプロセッサからの前記制御情報セルの前記ペイロードエリアに、当該リプライ元のプロセッサを表示するためのリプライ表示コードを格納する請求項１０に記載のマルチプロセッサ交換機。
【請求項１２】
端末側の一方の加入者と端末側の他方の加入者との間で呼を接続するに際し、全ての前記プロセッサが共通に加入者データおよび局データを保有する場合、発呼側加入者の属するプロセッサからの当該呼設定情報を、前記制御情報セルの前記ペイロードエリア内に格納して着呼側加入者の属するプロセッサに送信し、該着呼側加入者の属するプロセッサからの当該呼設定情報に対する応答情報を、前記制御情報セルの前記ペイロードエリア内に格納して前記発呼側加入者の属するプロセッサに返送して、当該呼の接続を行う請求項５に記載のマルチプロセッサ交換機。
【請求項１３】
端末側の一方の加入者と端末側の他方の加入者との間で呼を接続するに際し、各前記プロセッサが自己が管轄する加入者の加入者データまたは隣接する局の局データのみを保有する場合、発呼側加入者の属するプロセッサからの当該呼設定情報を、前記制御情報セルの前記ペイロードエリア内に格納して全てのプロセッサにブロードキャスト通信にて送信し、当該呼設定情報に該当する着呼側加入者を収容すると判断したプロセッサからの当該呼設定情報に対する応答情報を、前記制御情報セルの前記ペイロードエリア内に格納して前記発呼側加入者の属するプロセッサに返送し、当該呼の接続を行う請求項５に記載のマルチプロセッサ交換機。
【請求項１４】
前記制御情報セルを全てのプロセッサにブロードキャスト通信にて送信して前記応答情報が複数の前記プロセッサから返送されたとき、第１番目の該応答情報を返送したプロセッサとの間で当該呼の接続を行うと共に、第２番目以降の該応答情報を返送したプロセッサに対しては、切断要求情報を含む前記制御情報セルを返送する請求項１３に記載のマルチプロセッサ交換機。
【請求項１５】
各前記回線装置内に、セル折り返しループ部を設け、端末側の一方の加入者と端末側の他方の加入者との間で呼を接続するに際し、両加入者が同一の前記プロセッサに収容されているものと判定された場合、当該ユーザセルは、前記スイッチ装置に送出することなく、該セル折り返しループ部で折り返して当該両加入者間で呼の設定を行う請求項２に記載のマルチプロセッサ交換機。
【請求項１６】
複数の前記回線装置のうちの１つは保守運用装置であり、交換機全体の保守運用のための前記制御情報セルを、各前記プロセッサとの間で送信または受信する請求項２に記載のマルチプロセッサ交換機。
【請求項１７】
前記制御情報セルに乗せて転送すべき保守運用情報が全ての前記プロセッサに共通の場合、前記保守運用装置は、前記プロセッサ間の通信をブロードキャスト通信で行って当該保守運用情報を各該プロセッサに配送し、一方、前記保守運用情報が特定の前記プロセッサに対するものであるときは、前記プロセッサ間の通信はそのプロセッサとの間で１対１の通信により行う請求項１６に記載のマルチプロセッサ交換機。
【請求項１８】
複数の端末装置間で授受されるセルの交換を行うスイッチ装置と、該スイッチ装置と前記複数の端末装置の各々との間に挿入される回線装置と、を備え、各該回線装置にはプロセッサが内蔵されるマルチプロセッサ交換機において、
複数の前記端末装置間で授受されるユーザセルに加えて制御情報セルを前記端末装置内にて生成し、
前記ユーザセルと前記制御情報セルとからなり、各前記端末装置から出力されて各前記回線装置に入力されるセルが、前記ユーザセルであるか、または前記制御情報セルであるかを各前記回線装置内にて識別して振り分け、
前記の振り分けられた制御情報セルを用いて、前記スイッチ装置を介し、各前記プロセッサ間で通信を行うことを特徴とするマルチプロセッサ交換機の通信方法。
【発明の詳細な説明】
【０００１】
【発明の属する技術分野】
本発明はマルチプロセッサ交換機、例えばマルチプロセッサＡＴＭ（Asynchronous Transfer Mode）交換機に関する。
交換機は一般に、複数の端末装置間で授受されるＡＴＭセル等のセルの交換を行うスイッチ装置と、このスイッチ装置と上記複数の端末装置の各々との間に挿入される回線装置とを備えて構成される。この場合、これら回線装置の各々にプロセッサが内蔵されるとき、その交換機をマルチプロセッサ交換機と称する。
【０００２】
【従来の技術】
図２５は従来のマルチプロセッサ交換機の一例を示す図である。ただしこの交換機はＡＴＭ交換機である。本図において、１０はＡＴＭ交換機であり、主としてスイッチ装置１１および複数の回線装置１２からなる。各回線装置１２は、各端末装置（ＴＥ）１５毎に設けられており、一般には回線対応部と称されたり、個別部と称されたりしている。本発明においては回線装置と称する。
【０００３】
なお回線装置１２の全てが端末装置１５に接続されるとは限らず、実際にはこれら回線装置１２のいずれかは隣接局に接続されることもある。また、端末装置１５は、図において、１つの装置単体のように描いているが、実際にはＰＢＸであったり、小規模ＬＡＮであったりすることもある。すなわち、本発明で言う端末装置とは、端末側の装置群の総称であるが、単純化のために１つのブロックで表している。したがって、端末装置１５と、対応する回線装置１２との間の回線速度は、１５０Mbpsさらには６００Mbpsに及ぶことがある。
【０００４】
本図において本発明に特に関係するのは、回線装置１２の各々に内蔵されるプロセッサ（ＣＰＵ）１３であり、これらプロセッサ１３同士は共通の高速バス１８を介して連携し、マルチプロセッサを形成する。そして全体としてマルチプロセッサＡＴＭ交換機１０を構築する。
さらに詳しく説明すると、上記高速バス１８には呼処理プロセッサ１７が接続し、この呼処理プロセッサ１７はBroadband Signalling Controller （ＢＳＧＣ）装置１６と協働する。ＢＳＧＣ装置１６はスイッチ装置１１に接続する。
【０００５】
端末装置１５より発生した各加入者毎のＳＥＴＵＰ（呼設定）等のメッセージ信号は、ＢＳＧＣ装置１６で終端され、さらに当該メッセージは呼処理プロセッサ１７に伝達され、必要な呼処理が、該当のプロセッサ１３に対し、高速バス１８を介して指示される。この場合、呼処理プロセッサ１７はそのメッセージより、発信分析や着信分析等をして、スイッチ装置１１内におけるＡＴＭセルのルーティングパスを選択する等の処理を行う。
【０００６】
選択されたルーティングパスの情報は、該当する回線装置１２内のルーティングテーブル（例えばＶＣＣ（Virtual Channel Connection）テーブル）に格納され、上記ＳＥＴＵＰにより転送されるユーザセルのタグ情報となる。
上述のように、１つの呼処理プロセッサ１７を中心にして、複数のプロセッサ１３が高速バス１８を介し密結合する、というのが従来のマルチプロセッサ構成である。このようなマルチプロセッサ構成であると、次のような不都合がある。
【０００７】
（ｉ）複数のプロセッサ１３に対する同時アクセスができない。
（ii）複数のプロセッサ１３に対するアクセスが同時に発生したときは、一方のプロセッサへのアクセスが終了するのを待って、他方のプロセッサへのアクセスが開始するので、後者のプロセッサについては、無駄な待ち合わせのための時間が不可避となる。
【０００８】
（iii)ＡＴＭ交換機の規模を拡張するとき、それに伴って高速バス１８の長さも長くしなければならず、動作遅延時間が無視できなくなる。
上述した不都合な点（ｉ），（ii）および（iii)があることはもともと予想できたことではある。ところが近年のマルチメディア通信の大規模化により、１つの回線装置１２に要求される回線速度が、既述したように６００Mbpsにも及ぶことになると、上記の不都合な点（ｉ），（ii）および（iii)が現実に重大な障害となり、大規模かつ高速のマルチプロセッサＡＴＭ交換機を実現することができない。
【０００９】
そこで従来、ＡＴＭ通話路内のインチャネルを通るセルを使って、マルチプロセッサ間の通信情報を転送するという手法が提案された（特開平２−１２３８５０号）。
さらに、上記の提案（特開平２−１２３８５０号）に立脚して、図２５に示した従来のマルチプロセッサ交換機を改良した一例が提案された（特開平７−１７７１５５号）。この提案によれば、マルチプロセッサを構成する各プロセッサの前段にＡＴＭセル組立分解装置を設けると共に、回線上のＡＴＭセルと分離多重するためのＡＴＭセル信号挿入／分離装置を設けて、プロセッサ間で送受信する転送データをＡＴＭセルに変換して、通話路系のＡＴＭスイッチでＡＴＭセルの交換を行うことにより、プロセッサ間のデータ通信を行う、マルチプロセッサ間通信が実現される。
【００１０】
【発明が解決しようとする課題】
上述した従来の提案により、プロセッサ相互間での、ＡＴＭセルを媒介とした、プロセッサ間通信が実現される。しかしながら、実際にはマルチプロセッサ交換機においては、上述したプロセッサ間の通信のみならず、本来の加入者間での、ＡＴＭセルを媒介とした、情報通信も同時に実行されなければならない。つまり、プロセッサ間通信と加入者間通信とを同時に両立させるための通信手段が必要である。しかもこの通信手段をきわめて簡単なハードウェアおよび制御によって実現しなければならない、という課題がある。
【００１１】
したがって本発明は、上記の状況に鑑み、プロセッサ間通信と加入者間通信とを、きわめて簡単なハードウェアと制御により実現することのできる、マルチプロセッサＡＴＭ交換機を提供することを目的とするものである。
【００１２】
【課題を解決するための手段】
図１は本発明に係るマルチプロセッサ交換機の基本構成図である。一例としてマルチプロセッサＡＴＭ交換機の場合について示す。
まず本発明の前提とするマルチプロセッサＡＴＭ交換機１０は、図２５に示したのと同様、複数の端末装置１５間で授受されるＡＴＭセルの交換を行うスイッチ装置１１と、スイッチ装置１１と複数の端末装置１５の各々との間に挿入される回線装置１２と、を備え、各回線装置１２にはプロセッサ１３が内蔵されるマルチプロセッサＡＴＭ交換機である。
【００１３】
このようなマルチプロセッサＡＴＭ交換機１０において、本発明の特徴をなすのは、セル分離部２１である。すなわち、各回線装置１２内に、各回線装置１２に入力されるセルが、ユーザセルＵＣであるか、または制御情報セルＣＩＣであるかを識別して振り分けるセル分離部２１を設ける。そして、各プロセッサ１３は、セル分離部２１により振り分けられた制御情報セルＣＩＣを用い、スイッチ装置１１を介して、プロセッサ間の通信を行うようにする。ここに、ユーザセルＵＣは、ＡＴＭ交換機における通常のＡＴＭセルであるが、制御情報セルＣＩＣは、本発明によりプロセッサ間通信のために新たに導入された特別のＡＴＭセルである。
【００１４】
本発明の着眼点は、ＡＴＭ交換機の特性を活かして、制御情報セルＣＩＣを、スイッチ装置１１を介在させたプロセッサ間通信でやりとりすることにより、ＡＴＭ交換機から従来の呼処理プロセッサ１７およびＢＳＧＣ装置１６を排除し、その排除された機能を、複数のプロセッサ１３による分散処理によって代替することにある。
【００１５】
図２は本発明におけるマルチプロセッサ交換機の通信方法を表すフローチャートである。本図において各ステップの動作は次のとおりである。
複数の端末装置１５間で授受されるＡＴＭセルの交換を行うスイッチ装置１１と、スイッチ装置１１と複数の端末装置１５の各々との間に挿入される回線装置１２と、を備え、各回線装置１２にはプロセッサ１３が内蔵されるマルチプロセッサＡＴＭ交換機１０において、
ステップＳ１：複数の端末装置１５間で授受されるユーザセルＵＣに加えて制御情報セルＣＩＣを生成する。
【００１６】
ステップＳ２：各回線装置１２に入力されるＡＴＭセルが、ユーザセルＵＣであるか、または制御情報セルＣＩＣであるかを識別して振り分ける。
ステップＳ３：振り分けられた制御情報セルＣＩＣを用いて、スイッチ装置１１を介し、各プロセッサ１３間で通信を行う。
【００１７】
【発明の実施の形態】
図３は図１に示すセル分離部の実際の実現態様を表す図である。
本図に示すごとく、セル分離部２１は、端末装置１５からのセルを入力とする端末側セル分離部２２と、スイッチ装置１１からのセルを入力とするスイッチ側セル分離部２３とからなる。
【００１８】
一方、セル多重化部分について見ると、図１に示すとおり、各回線装置１２内には、セル分離部２１により振り分けられたユーザセルＵＣと、プロセッサ１３から送出される制御情報セルＣＩＣとを多重化するセル多重部３１を有する。
図４は図１に示すセル多重部３１の実際の実現態様を表す図である。
本図に示すごとく、セル多重部３１は、スイッチ装置１１へのセルを出力するスイッチ側セル多重部３２と、端末装置１５へのセルを出力する端末側セル多重部３３とからなる。
【００１９】
図５は本発明に係る回線装置の一実施例を表す図である。なお、複数の回線装置１２（＃１〜＃ｎ）はいずれも同一の構成を有するので、代表して回線装置１２（＃１）のみを詳しく示す。
図５においてまず注目すべき点は、図２５に示した、従来のマルチプロセッサ構成における、ＢＳＧＣ装置１６、呼処理プロセッサ１７および高速バス１８が完全に排除されたことである。そのために、ＡＴＭ交換機における通常のＡＴＭセル（ユーザセルＵＣ）に加えて、制御情報セルＣＩＣが導入されたことである。各制御情報セルＣＩＣは、スイッチ装置１１を経由して、複数のプロセッサ１３の間でやりとりされる。
【００２０】
図５の回線装置１２（＃１）において、既に説明済みの構成要素は、プロセッサ１３、端末側セル分離部（ＤＭＵＸ）２２、端末側セル多重部（ＭＵＸ）３３、スイッチ側セル多重部（ＭＵＸ）３２およびスイッチ側セル分離部（ＤＭＵＸ）２３である。
これら以外に、構成要素２５および２６も重要な役割を果す。ただし、これら構成要素２５および２６は、通常の回線装置において一般的なものである。すなわちこれらは、メモリ２５およびルーティングテーブル２６である。ルーティングテーブル２６として図の例では前述したＶＣＣテーブルを示している。
【００２１】
メモリ２５には、プロセッサ１３を動作させるに必要なプログラムがイニシャルロードされる。さらにまた、メモリ２５には、プロセッサ１３により呼処理を行う上で不可欠な、加入者データや局データを格納する。
図６は図５におけるＶＣＣテーブルの一例を示す図である。ルーティングテーブル２６としてのＶＣＣテーブルを示しており、入力されたセルのルーティングパス情報、例えばＶＰＩ／ＶＣＩ（Virtual Path Identifier ／Virtual Channel Identifier）をアドレスとして、対応するルーティングパス情報（図では、“ＴＡＧ、出ＶＰＩ／ＶＣＩ”）を出力するためのテーブルである。ＴＡＧは、スイッチ装置１１内を、当該セルが転送されるときのパスを指示するタグ情報である。テーブル２６にはこの他情報フィールドＣＯＮＴも格納される。この情報フィールドＣＯＮＴには、セルのヘッダエリアに書き込むべき情報等が格納される。
【００２２】
図７は回線装置１２よりスイッチ装置１１に入力されるセルのフォーマットを示す図である。ただし一例である。通常、各セルは、少なくともヘッダエリアおよびペイロードエリアからなるが、本発明で用いる各制御情報セルＣＩＣは、各ユーザセルＵＣと区別可能な特定の識別コードをヘッダエリア内に有すると共に、プロセッサ１３から送出される制御情報セルにはさらに、少なくとも転送先のプロセッサ１３を指定するタグ情報を格納するためのタグエリアが付加されている。このタグ情報は、図５のプロセッサ１３により、同図中のルーティングテーブル２６内に予め書き込まれる。
【００２３】
上記の、ユーザセルＵＣと区別可能な特定の識別コードは、本発明において、ＶＰＩ＝０／ＶＣＩ＝５を採用している。これらは図５にも示されている。逆に言えば、ＶＰＩ≠０／ＶＣＩ≠５はユーザセルＵＣのために使われる。
図７において、ＰＴＩはPayload Type Identifier フィールドで、ＨＥＣはHeader Error Controlフィールドであって、いずれも周知である。なお、タグエリア内のブロードキャスト用ＴＡＧ情報は、後述する、複数のプロセッサ１３に、制御情報セルＣＩＣをブロードキャストするときにのみ必要とされる情報である。またペイロードエリア内の送信元プロセッサＨＷ番号は、送信先のプロセッサ１３から何らかのリプライを受けたいときに、送信元のプロセッサの宛先を明示するためのハイウェイ（ＨＷ）番号である。
【００２４】
すなわち、プロセッサ間の通信において、制御情報セルの転送先プロセッサよりリプライを求めるために、制御情報セルのペイロードエリアに、当該制御情報セルの転送元のプロセッサを表示するための表示コード（プロセッサＨＷ番号）を格納するようにする。
ここで、図５、図６および図７を参照して、交換機全体の動作を説明する。
【００２５】
端末装置１５側の加入者からのセル（ＶＰＩ＝０／ＶＣＩ＝５を有する）は、回線装置１２内のプロセッサ１３に取り込まれる。また加入者へのセルも回線装置１２内のプロセッサ１３から送出される。
回線装置１２間の通信は、ＶＣＣテーブル２６内のＶＰＩ＝０／ＶＣＩ＝５の部分に、相手方回線装置１２のＨＷ（ハイウェイ）情報（ＴＡＧ）を設定してプロセッサ１３からＶＰＩ＝０／ＶＣＩ＝５のセルを送出することにより、その相手方回線装置１２内のプロセッサ１３に、セルを送出することが可能となる。この場合、送信元回線装置のプロセッサを、相手方回線装置のプロセッサに通知するために、図７で述べた如く、セルのペイロードエリアに、送信元の回線装置のＨＷ番号（プロセッサＨＷ番号）を付与する。これにより、送信先（受信側）のプロセッサ１３が送信元のプロセッサにリプライするときには、そのプロセッサＨＷ番号を、ＶＣＣテーブル２６のＴＡＧフィールドに設定し、ＶＰＩ＝０／ＶＣＩ＝５のセルを送出することにより、自動的に送信元のプロセッサ１３に情報を返送することが可能となる。
【００２６】
かくのごとく、本発明によるシステムは基本的に、プロセッサ１３間の制御情報の通信にＡＴＭセルを使用するシステムであり、ユーザセルＵＣと、プロセッサ１３からの制御情報セルＣＩＣとをスイッチ装置１１に送り出すスイッチ側セル多重部３２と、このセル多重部３２からのセルに対して出側の回線上のＶＰＩ／ＶＣＩ（ルーティングパス情報）およびＴＡＧ情報を付与するためのルーティングテーブル（ＶＣＣテーブル）２６からなる。
【００２７】
プロセッサ間の通信には、特定の識別コードをなすＶＰＩ／ＶＣＩを使用し（上記のＶＰＩ＝０／ＶＣＩ＝５）、制御情報セルを相手方回線装置１２に送出する前に、ルーティングテーブル（ＶＣＣテーブル）２６に格納された、ＶＰＩ／ＶＣＩ＝０／５のデータに対しその相手方回線装置１２へ到達するようなタグ情報ＴＡＧを設定し、出側ＶＰＩ／ＶＣＩはそれぞれ０／５に設定する。さらにプロセッサ１３より、ペイロードエリアに自己が収容されているＨＷ番号（表示コード）を付与してセル多重部３２にセルを流すことにより、相手方プロセッサに制御情報を転送する。
【００２８】
一方、送信先（受信側）の回線装置１２には、スイッチ装置１１からのセル群のうち特定のＶＰＩ／ＶＣＩ（＝０／５）を有するセルをプロセッサ１３に入力させるためのスイッチ側セル分離部２３を設け、ＶＰＩ／ＶＣＩ（＝０／５）をヘッダエリアに有するセルを、プロセッサ内に取り込むことにより、送信元の回線装置１２のプロセッサ１３との間で制御情報の授受を行うようにしたシステムである。
【００２９】
図８は図５におけるＶＣＣテーブルの他の一例を示す図である。上述したリプライについてみると、制御情報セルを受信した送信先のプロセッサ１３は、送信元のプロセッサ１３にリプライする場合、受信したセルのペイロードエリアに格納されているＨＷ（ハイウェイ）情報を、ルーティングテーブル（ＶＣＣテーブル）２６内のＶＰＩ／ＶＣＩ（＝０／５）により指定されるエリアにおけるＴＡＧエリアに設定すると共に（図８のＴＡＧ参照）、自分のＨＷ番号をセルのペイロードエリアに設定した上で、送信元のプロセッサ１３に返送する。
【００３０】
上述した本発明のシステムによれば、ＡＴＭ交換機本来のブロードキャスト機能を利用して、１つの送信元プロセッサ１３から、同一の制御情報セルを、複数の送信先プロセッサ１３に送信するというブロードキャスト通信を容易に実現できる。このブロードキャスト通信の実現のために、下記のような各種の識別子やリプライ表示コード（ｉ）〜（iv）を採用するのが好ましい。
【００３１】
（ｉ）プロセッサ１３から送出される制御情報セルＣＩＣ内に、プロセッサ間の通信をブロードキャスト通信で行うか否かを指定するための第１ブロードキャスト識別子（Ｂ１）を含むようにする。
（ii）プロセッサ１３から送出される制御情報セルＣＩＣ内に、プロセッサ間の通信を、ある特定のプロセッサに対するブロードキャスト通信で行うか、または、全てのプロセッサに対するブロードキャスト通信で行うかを指定するための第２ブロードキャスト識別子（Ｂ２）を含むようにする。
【００３２】
（iii)プロセッサ１３から送出される制御情報セルＣＩＣ内に、ブロードキャスト通信で行われるプロセッサ間の通信において、当該ブロードキャスト情報の送信元のプロセッサ１３が、その送信先のプロセッサ１３から、当該ブロードキャスト情報に対するリプライを求めるか否かを指定するためのリプライ識別子（ＲＰ）を含むようにする。
【００３３】
（iv）上記のリプライが求められた送信先のプロセッサ１３からの制御情報セルＣＩＣのペイロードエリアに、当該リプライ元のプロセッサ１３を表示するためのリプライ表示コード（ＲＰＣＤ）を格納するようにする。
図９は図５におけるＶＣＣテーブルのさらに他の一例を示す図である。このＶＣＣテーブル２６内には、上記ブロードキャスト通信に必要な情報が格納されている。
【００３４】
図１０はブロードキャスト通信が行われるときのセルのフォーマットの一例を示す図である。本図中に、上述した識別子Ｂ１，Ｂ２およびＲＰとリプライ表示コード（ＲＰＣＤ）が示されている。
図９および図１０を参照すると、ルーティングテーブル（ＶＣＣテーブル）２６に第１ブロードキャスト識別子Ｂ１（“１”：ブロードキャスト有り、“０”：ブロードキャスト不要）と、この第１ブロードキャスト識別子Ｂ１が“１”のときに、全てのＨＷ（ハイウェイ）すなわち全てのプロセッサ１３に対してブロードキャスト通信を行うのか、指定のプロセッサに対してのみブロードキャスト通信を行うのかを識別する第２ブロードキャスト識別子Ｂ２（“１”：指定のプロセッサのみにブロードキャスト、０：全てのプロセッサに対しブロードキャスト）のフィールドを設ける。また上述したリプライ識別子ＲＰとしては、例えば受信した全てのプロセッサ１３からのリプライを必要とするのか、特定のプロセッサ１３からのリプライのみを必要とするのかを識別するリプライ識別子ＲＰ（“１”：全プロセッサからのリプライ要、“０”：条件を満たすプロセッサのみからのリプライ要）のフィールドを設ける。
【００３５】
かかるブロードキャスト用の制御情報セルＣＩＣを受信したプロセッサ１３は、リプライ識別子ＲＰの“１”または“０”を調べ、リプライが必要な場合には、セルを返送するときに、このセルのペイロードエリアにリプライ元プロセッサのＨＷ（ハイウェイ）番号を表示したリプライ表示コードＲＰＣＤを付与してリプライすることにより、プロセッサ間の通信を実現する。このブロードキャスト通信は、次に述べる呼設定において有効に利用することができる。
【００３６】
マルチプロセッサＡＴＭ交換機における最も重要な機能は呼設定である。呼設定とは、発呼側の加入者と着呼側の加入者との間に、スイッチ装置１１を介して、パスを形成することである。この呼設定は、図２５に示す従来のＡＴＭ交換機では、ＢＳＧＣ装置１６と呼処理プロセッサ１７により行われていたが、これらＢＳＧＣ装置１６および呼処理プロセッサ１７を排除した本発明に係る図５のＡＴＭ交換機では、制御情報セルＣＩＣを用いて各プロセッサ１３がその呼設定を行うことになる。
【００３７】
本発明において、その呼設定の仕方は、下記の２つのケース（ｉ）および（ii）のいずれであるかに応じて異なる。
（ｉ）全てのプロセッサ１３が共通に加入者データおよび局データを保有するケース。
（ii）各プロセッサ１３は、自己が管轄する加入者の加入者データまたは隣接する局の局データのみを保有するケース。
【００３８】
なお、上述した加入者データおよび局データは、各プロセッサ１３に協働するメモリ（図５のメモリ２５）に保有される。
上記ケース（ｉ）および（ii）のうち、ケース（ii）の場合について、既述のブロードキャスト通信が有効に利用される。
ケース（ｉ）
端末側の一方の加入者と端末側の他方の加入者との間で呼を接続するに際し、全てのプロセッサ１３が共通に加入者データおよび局データを保有する場合、発呼側加入者の属するプロセッサ１３からの当該呼設定情報を、制御情報セルＣＩＣのペイロードエリア内に格納して着呼側加入者の属するプロセッサ１３に送信し、この着呼側加入者の属するプロセッサ１３からの当該呼設定情報に対する応答情報を、制御情報セルＣＩＣのペイロードエリア内に格納して上記発呼側加入者の属するプロセッサ１３に返送して、当該呼の接続を行うようにする。
【００３９】
ケース（ii）
端末側の一方の加入者と端末側の他方の加入者との間で呼を接続するに際し、各プロセッサ１３が自己が管轄する加入者の加入者データまたは隣接する局の局データのみを保有する場合、発呼側加入者の属するプロセッサ１３からの当該呼設定情報を、制御情報セルＣＩＣのペイロードエリア内に格納して全てのプロセッサ１３にブロードキャスト通信にて送信し、当該呼設定情報に該当する着呼側加入者を収容すると判断したプロセッサ１３からの当該呼設定情報に対する応答情報を、制御情報セルＣＩＣのペイロードエリア内に格納して上記発呼側加入者の属するプロセッサに返送し、当該呼の接続を行うようにする。上記のケース（ii）において、制御情報セルＣＩＣを全てのプロセッサ１３にブロードキャスト通信にて送信して上述の応答情報が複数のプロセッサから返送されたとき、第１番目の応答情報を返送したプロセッサ１３との間で当該呼の接続を行うと共に、第２番目以降の応答情報を返送したプロセッサ１３に対しては、切断要求情報を含む制御情報セルＣＩＣを返送するようにする。
【００４０】
上記ケース（ｉ）について具体的に説明する。まず図９に示すルーティングテーブル（ＶＣＣテーブル）２６内のＢ１ビットおよびＢ２ビットを共に“０”に設定し、相手プロセッサ（着呼側プロセッサ）のＨＷ番号を、ＴＡＧ情報フィールドに設定する。これによりダイレクトに相手プロセッサと通信を行い、加入者からの接続／切断要求を実現する。
【００４１】
図１１はケース（ｉ）におけるプロトコルの一例を示すシーケンス図である。本図において、端末装置１５側の発呼加入者から、ＳＥＴＵＰ信号を受信した送信元のプロセッサ１３は、発電番から、発信可能か否か等のチェックを行い、発信ＯＫであれば、着呼側の分析を行い、送信先のプロセッサ１３が接続されているＨＷ（ハイウェイ）番号を取得する。
【００４２】
そのＨＷ番号を、送信元プロセッサにおけるＶＣＣテーブル２６のＴＡＧフィールド（図９）に設定する。また、ＶＣＣテーブル２６内のＢ１、およびＢ２の各ビット（図９）の値は、ブロードキャスト通信が不要であることから、“０”を設定する。その後、送信先プロセッサに向けて、呼番号を含むＩＡＭメッセージを送出する。この場合、ブロードキャスト通信はしないので、リプライ識別子ＲＰ（図１０）としては“０”を設定する。
【００４３】
上記ＩＡＭメッセージを受信した送信先プロセッサは、送信元のプロセッサに、ＩＡＡメッセージのリプライの送出を行う。これと同時に、着呼側加入者にＳＥＴＵＰ信号を流し、この着呼側加入者より接続を示すＣＯＮＮメッセージを送信先プロセッサが受信すると、さらにこのプロセッサは応答を示すＡＮＭメッセージを送信元プロセッサに返し、最終的にＣＯＮＮメッセージが発呼側加入者に返る。なお、以降、該当呼の処理については、上記の呼番号と共にメモリ２５に記憶しておいたＨＷ番号をもとに、両プロセッサ間で一対一の通信を行う。
【００４４】
図１２はＳＥＴＵＰ信号を受けた送信元（発呼側）プロセッサによるメモリアクセスの様子を示す図である。このメモリは図５のメモリ２５であり、図１１（ケース（ｉ））に表すシーケンスの実行に不可欠なメモリアクセスである。ただし後述する図１４（ケース（ii））に表すシーケンスの実行にも不可欠なメモリアクセスである。
【００４５】
まず、呼番号をアドレスＡとしてメモリ２５をアクセスし、相手プロセッサＨＷ番号と呼処理リソースｉｄ（いわゆるトランザクションＩＤ）を取得する。
次に、（相手プロセッサＨＷ番号＋呼番号）をアドレスＢとして、メモリ２５をアクセスし、呼処理リソースｉｄを取得する。
最後に、その呼処理リソースｉｄをアドレスＣとして、メモリ２５をアクセスし、呼状態（例えば、図１１の状態遷移）と加入者情報（ＳＥＴＵＰ信号に入っている加入者の電番や着呼側の状況等）とパス情報（実際にパスを張るときのＶＣＩ値やＶＰＩ値）等を取得する。
図１３は制御情報セルのフォーマットの一例を示す図である。このセルフォーマットは、既に述べた図１１（ケース（ｉ））のシーケンスにおいても、また、後述する図１４のシーケンスにおいても採用される。
【００４６】
この図１３に示すフォーマットは、図１０に示したフォーマットをさらに詳しく表すものであり、上述した呼番号のフィールドや、メッセージ種別（前述したＩＡＭメッセージ、ＩＡＡメッセージ、呼状態、加入者情報、電番…等）のフィールドや、そのメッセージを修飾するメッセージ内容のフィールドからなる。
図１４はケース（ii）におけるプロトコルの一例を示すシーケンス図である。このシーケンスでは、既述したブロードキャスト通信を必要とする。
【００４７】
このケース（ii）では相手プロセッサを特定できないため、図９に示すＶＣＣテーブル２６のＢ１ビットに“１”を設定する。これによりブロードキャスト通信を指定し、全てのプロセッサ１３に同一のセルを送出することができる。同一のセルはスイッチ装置１１内にてコピーにより作られる。
さらに詳しく説明すると、端末装置１５側の加入者からＳＥＴＵＰ信号を受信した送信元のプロセッサ１３は、発電番から、発信可能か否か等のチェックを行い、発信ＯＫであれば、既述のブロードキャスト通信により、全てのプロセッサ（＃１〜＃７）に、呼番号を含むＩＡＭメッセージを送出する。この場合、リプライ識別子ＲＰ（図１３）には“０”を設定する。ＩＡＭメッセージを受信した各送信先プロセッサは、着電番（呼番号）を分析し自己に属する電番であれば、送信元のプロセッサ＃０にＩＡＡメッセージを返送する。もし上記分析の結果、プロセッサが自分には無関係な着電番であることが判明すれば、該ＩＡＭメッセージは破棄する。
【００４８】
ＩＡＭメッセージを送出した送信元プロセッサ＃０は、複数のプロセッサ（＃１〜＃７のいずれか）からＩＡＡメッセージを受信することが考えられる。このような場合には、第１番目に到着したＩＡＡメッセージの送信したプロセッサのみを、呼番号と共にプロセッサ１３（＃０）に付帯するメモリ２５上に記憶しておき（ＨＷ番号）、第２番目以降に受信したＩＡＡメッセージについては、これを送信したプロセッサに対し、切断要求（図中のＲＥＬ：ｒｅｌｅａｓｅ）を行う。以降、該当呼の処理については、上記の呼番号と共にメモリ２５に記憶しておいたＨＷ番号をもとに、両プロセッサ間で一対一の通信を行う。なお、本図中のＳＥＴＵＰやＡＮＭやＣＯＮＮの意味は、図１１にて説明したとおりである。
【００４９】
上述した実施例は、一方の加入者が属する回線装置１２と、他方の加入者が属する回線装置１２とが異なる場合について説明している。しかしながら、一方の加入者も他方の加入者も共に同一の回線装置１２に属するという場合もある。特に、本発明では、端末装置１５として、１加入者の端末装置に止まらず、既に述べたように、ＰＢＸや小規模ＬＡＮ等の複数加入者を収容する端末装置群も想定しているからである。
【００５０】
端末装置１５がＰＢＸや小規模ＬＡＮの場合、加入者相互間でのいわば内線通信となる。このような場合、前述した実施例のように、スイッチ装置１１を介在させた内線通信を行うことも勿論可能である。しかし、このような内線通信にまでスイッチ装置１１を使用するのは、リソースの効率的活用という観点からして好ましくない。
【００５１】
そこで、一方の加入者と他方の加入者が共に同一の回線装置１２に収容されていてこれらの間で内線通信となる場合には、スイッチ装置１１を経由しないバイパスを、両加入者間に形成するようにする。
このために、各回線装置１２内に、セル折り返しループ部を設け、端末側の一方の加入者と端末側の他方の加入者との間で呼を接続するに際し、両加入者が同一のプロセッサ１３に収容されているものと判定された場合、当該ユーザセルは、スイッチ装置１１に送出することなく、そのセル折り返しループ部で折り返して当該両加入者間で呼の設定を行うようにする。
【００５２】
図１５はセル折り返しループ部を有する回線装置の一例を示す図である。セル折り返しループ部４１は、セル折り返し判定手段４２と、セル多重手段４３と、これら両手段の間を結ぶループパス４４とからなる。このループパス４４が、スイッチ装置１１に対する上記のバイパスをなす。
図１６は図１５におけるＶＣＣテーブルの一例を示す図であり、図１７は図１５の構成において用いる制御情報セルのフォーマットの一例を示す図である。
【００５３】
ヘッダエリア内の折り返し指示ビットＲＴを“１”にして回線装置１２内で折り返しを行い、端末装置１５側の加入者にセルを送り返す。プロセッサ１３により着分析をした結果、着呼端末が同じプロセッサの配下のものであるので、ＩＡＭメッセージ等の送出は行わず、制御情報用のＶＰＩ／ＶＣＩとＶＣＣテーブル２６に相手ＶＰＩ／ＶＣＩとに折り返し指示ビットＲＴを設定し、着呼側へＳＥＴＵＰメッセージを送出して自内でセルの折り返しを行う。
【００５４】
上述した実施例においては、各回線装置１２内のメモリ２５に、必要な加入者データや局データが格納されていることが前提となる。これらのデータをインストールする場合、各回線装置１２毎にその中のメモリ２５に該データを予め書き込むというやり方が考えられる。しかしかかる書き込み作業は能率的ではない。このような非能率な作業を排除するために、複数の回線装置１２のうちの１つを保守運用装置とする。この保守運用装置は、交換機全体の保守運用のための制御情報セルを、各プロセッサ１３との間で送信または受信するようにする。
【００５５】
図１８は保守運用装置の一例を示す図である。保守運用装置５２は、基本的に前述した各回線装置１２と同様の構成を有し、プロセッサ５３と、メモリ５５と、ルーティングテーブル（ＶＣＣテーブル）５６とを含んで構成される。
図１９は図１８における保守運用装置内のメモリの内容を示す図である。保守運用装置５２内のメモリ５５は、保守運用の対象となる回線装置１２の番号（＃０，＃１，＃２…）によってアクセスされる。そのメモリの内容は、例えば全回線装置１２に共通のデータ、例えばシステムプログラムであり、ダウンロードデータ、例えば、加入者データ、局データ、各回線装置に付与される番号情報、各回線装置が使用するＨＷ（ハイウェイ）番号等である。システム立上げ時には不可欠なデータである。なお、システムプログラムのように膨大なデータは、制御情報セルのペイロードエリアに入れて、繰り返し転送する。
【００５６】
かくのごとく、保守運用装置５２と各回線装置１２との間にインストール等のためのパスを設定し、各回線装置１２へ加入者データや局データをダウンロードすることができる。
制御情報セルに乗せて保守運用装置５２から転送すべき保守運用情報が全てのプロセッサ１３に共通の場合（共通データ）、保守運用装置５２は、プロセッサ１３間の通信を既述のブロードキャスト通信で行って当該保守運用情報を各該プロセッサ１３に配送する。一方、保守運用情報が特定のプロセッサ１３に対するものであるときは、プロセッサ間の通信はそのプロセッサとの間で、既述した１対１の通信により行うようにする。
【００５７】
図２０は遠隔操作形保守運用装置の一例を示す図である。本図の構成は、前述した端末装置１５に対応させて保守用端末装置６５を設けたものであり、この装置６５と保守運用装置５２との間を例えば光ケーブルにより結ぶ。これにより、外部のオペレータより遠隔操作でシステムの立上げを行うことができる。
最後に、図５の回線装置１２内の要部の具体例と、図１５の回線装置５２内の要部の具体例とを示す。
【００５８】
図２１は図５に示すセル分離部の具体例を示す図である。図５のセル分離部２２および２３は両者ほぼ同一の構成であるので、前者のセル分離部２２について示す。
セル分離部２２は、セルヘッダ抽出部６１と、識別コード生成部６２と、ＡＮＤゲート６３と、セレクタ（ＳＥＬ）６４とを有してなる。
【００５９】
セル分離部２２は、既に述べたとおり、端末装置１５において組み立てられ送出されたＡＴＭセルが、制御情報セルＣＩＣであるか通常のユーザセルＵＣであるかをまず識別する。この識別のために、例えば図７に示すヘッダエリア内に既述のＶＰＩ＝０／ＶＣＩ＝５等の識別コードを書き込む。セルヘッダ抽出部６１は、受信したＡＴＭセルの中のヘッダエリアを抽出する。さらにこれをＡＮＤゲート６３の一方の入力に印加し、そのヘッダエリア内のＶＰＩ／ＶＣＩ値が、ＶＰＩ＝０／ＶＣＩ＝５であるか否かをＡＮＤゲート６３にて判定する。ＡＮＤゲート６３の他方の入力には、そのＶＰＩ＝０／ＶＣＩ＝５に等しい識別コードが、識別コード生成部６２より与えられる。
【００６０】
ＡＮＤゲート６３により、ＶＰＩ＝０／ＶＣＩ＝５を有するＡＴＭセルが入力されたものと判定されたときは、セレクタ６４を制御し、プロセッサ１３への転送ラインにこのＡＴＭセルを流す。このＡＴＭセルは制御情報セルＣＩＣである。
ＡＮＤゲート６３において、ＶＰＩ≠０／ＶＣＩ≠５と判定されたときは、セレクタ６４を制御し、セル多重部３２への転送ラインにこのＡＴＭセルを流す。このＡＴＭセルは、通常のユーザセルＵＣである。
【００６１】
図２２は図５に示すセル多重部の具体例を示す図である。図５のセル多重部３２および３３は両者ほぼ同一の構成であるので、前者のセル多重部３２について示す。
セル多重部３２は単純なバッファ回路６５、例えばＦＩＦＯメモリにより構成することができる。
【００６２】
図２３は図５に示すプロセッサの内部構成例を示す図である。図５のプロセッサ１３は、端末装置１５からスイッチ装置１１に向う上り系の制御情報セルＣＩＣと、スイッチ装置１１から端末装置１５に向う下り系の制御情報セルＣＩＣの双方を引き込んで処理するが、図２３では上記の上り系のみを示す。下り系もほぼ同一の構成である。
【００６３】
セル分離部２２からの制御情報セルＣＩＣはまずセルバッファ６６に一旦格納される。そして格納されたセル群は、ＣＰＵ６８による処理に適合したフレームに組立てられる。これを行うのがフレーム組立て部６７である。
ＣＰＵ６８により処理済みのフレームは再びＡＴＭセルのフォーマットに再構成され、セル多重部３２に送出される。これを行うのがセル再構成部６９である。
【００６４】
図２４は図１５に示すセル折り返しループ部の一例を示す図である。特に図１５の折り返しループ部４１内のセル折り返し判定手段４２についてその一例を示す。
セル折り返し判定手段４２は、既述した、図２１に示すセル分離部と同様の構成を有しており、まずセルヘッダ抽出部７１にて、入力されたＡＴＭセルのヘッダエリアを抽出し、さらに、その中の折り返し指示ビットＲＴを抽出してＲＴビット判定手段７２に印加する。該手段７２は、ＲＴビットが“０”（折り返しなし）か、“１”（折り返し有り）かを判定し、“１”のときに、セレクタ（ＳＥＬ）７３を制御して入力されたＡＴＭセルをループパス４４に流す。このＡＴＭセルは回線装置１２内で折り返しが行われる制御情報セルである。
【００６５】
上記ＲＴビットが“０”のときは、当該セルを送信したプロセッサと同一ではない他のプロセッサに属する加入者へのセルであるから、該セルをスイッチ装置１１に入力する。さらに通常のルーティングを行って、目的とする着呼側加入者へセルを転送する。
【００６６】
【発明の効果】
以上説明したように本発明によれば、ユーザセルの他に制御情報セルを導入し、かつ、この制御情報セルをスイッチ装置１１内で交換することによって、任意のプロセッサ間でのプロセッサ間通信と加入者間通信とを、簡単なハードウェアと制御により、可能にする。そしてこのプロセッサ間通信を利用することによって、図２５に示す、従来の呼処理プロセッサ１７ならびにＢＳＧＣ装置１６を不要にする。ただし、これら呼処理プロセッサ１７ならびにＢＳＧＣ装置１６によって実現されていた機能は、複数のプロセッサ１３に機能分散する。
【００６７】
かくして、従来の高速バス１８は不要となり、この高速バス１８の存在に起因する諸問題、すなわち（ｉ）複数のプロセッサに対する同時アクセスができないこと、（ii）複数のプロセスに対する同時アクセスがあったときは、先にアクセスされたプロセッサ以外のプロセッサには必ず無駄な待ち合わせ時間が伴うこと、（iii)ＡＴＭ交換機の規模を拡張しようとするとき、これに伴って高速バス１８もその長さを増大させなければならないため、必ず動作時間が拡大してしまうこと、等の問題は全て、本発明により解消される。
【００６８】
また呼処理プロセッサ、ＢＳＧＣ装置および高速バスが不要となるからシステム構成は簡素化され、したがって安価なシステムを実現することができる。
【図面の簡単な説明】
【図１】本発明に係るマルチプロセッサ交換機の基本構成図である。
【図２】本発明におけるマルチプロセッサ交換機の通信方法を表すフローチャートである。
【図３】図１に示すセル分離部の実際の実現態様を表す図である。
【図４】図１に示すセル多重部３１の実際の実現態様を表す図である。
【図５】本発明に係る回線装置の一実施例を表す図である。
【図６】図５におけるＶＣＣテーブルの一例を示す図である。
【図７】回線装置１２よりスイッチ装置１１に入力されるセルのフォーマットを示す図である。
【図８】図５におけるＶＣＣテーブルの他の一例を示す図である。
【図９】図５におけるＶＣＣテーブルのさらに他の一例を示す図である。
【図１０】ブロードキャスト通信が行われるときのセルのフォーマットの一例を示す図である。
【図１１】ケース（ｉ）におけるプロトコルの一例を示すシーケンス図である。
【図１２】ＳＥＴＵＰ信号を受けた送信元（発呼側）プロセッサによるメモリアクセスの様子を示す図である。
【図１３】制御情報セルのフォーマットの一例を示す図である。
【図１４】ケース（ii）におけるプロトコルの一例を示すシーケンス図である。
【図１５】セル折り返しループ部を有する回線装置の一例を示す図である。
【図１６】図１５におけるＶＣＣテーブルの一例を示す図である。
【図１７】図１５の構成において用いる制御情報セルのフォーマットの一例を示す図である。
【図１８】保守運用装置の一例を示す図である。
【図１９】図１８における保守運用装置内のメモリの内容を示す図である。
【図２０】遠隔操作形保守運用装置の一例を示す図である。
【図２１】図５に示すセル分離部の具体例を示す図である。
【図２２】図５に示すセル多重部の具体例を示す図である。
【図２３】図５に示すプロセッサの内部構成例を示す図である。
【図２４】図１５に示すセル折り返しループ部の一例を示す図である。
【図２５】従来のマルチプロセッサ交換機の一例を示す図である。
【符号の説明】
１０…ＡＴＭ交換機
１１…スイッチ装置
１２…回線装置
１３…プロセッサ（ＣＰＵ）
１５…端末装置（ＴＥ）
１６…ＢＳＧＣ装置
１７…呼処理プロセッサ
１８…高速バス
２１…セル分離部
２２…端末側セル分離部
２３…スイッチ側セル分離部
２５…メモリ
２６…ルーティングテーブル
３１…セル多重部
３２…スイッチ側セル多重部
３３…端末側セル多重部
４１…セル折り返しループ部
４２…セル折り返し判定手段
４３…セル多重手段
４４…ループパス
５２…保守運用装置
５３…プロセッサ
５５…メモリ
５６…ルーティングテーブル
ＵＣ…ユーザセル
ＣＩＣ…制御情報セル
【図１】
0003676917.tif 000002
【図２】
0003676917.tif 000003
【図３】
0003676917.tif 000004
【図４】
0003676917.tif 000005
【図５】
0003676917.tif 000006
【図６】
0003676917.tif 000007
【図７】
0003676917.tif 000008
【図８】
0003676917.tif 000009
【図９】
0003676917.tif 000010
【図１０】
0003676917.tif 000011
【図１１】
0003676917.tif 000012
【図１２】
0003676917.tif 000013
【図１３】
0003676917.tif 000014
【図１４】
0003676917.tif 000015
【図１５】
0003676917.tif 000016
【図１６】
0003676917.tif 000017
【図１７】
0003676917.tif 000018
【図１８】
0003676917.tif 000019
【図１９】
0003676917.tif 000020
【図２０】
0003676917.tif 000021
【図２１】
0003676917.tif 000022
【図２２】
0003676917.tif 000023
【図２３】
0003676917.tif 000024
【図２４】
0003676917.tif 000025
【図２５】
0003676917.tif 000026